(57)【要約】【課題】装置の前後方向に記録紙を搬送しながら、画像信号にもとづいて記録紙面上に画像を形成する画像形成部と、前記画像形成部の上面に設けられ画像形成後の記録紙を排出する記録紙排出及び排出された記録紙を積載する排紙トレイ部とで構成され前記記録紙排出口は装置手前側もしくは装置奥側に設けることで、それぞれ装置手前側から装置奥側の方向もしくは装置奥側から装置手前側の方向に向けて記録紙を排出する構成のプリンタを設けた画像形成装置において、機内排紙されたシートの取り出し性および視認性を向上させた画像形成装置を提供する。【解決手段】シートＰに画像を形成するプリンタ部１０４と、プリンタ部１０４の上方に配置された画像読取部１０１との間に、シートＰを排出する機内排紙空間Ｈｌを設ける。ここで、画像読取部１０１の右端１０１ｗは、プリンタ部１０４の右端１０４ｗよりも装置内側に位置する。また、画像読取部１０１は右端１０１ｗ以外の部分で支持される。【選択図】  図１
2004279691.tif 000002
【特許請求の範囲】
【請求項１】
画像形成を行うプリンタ部と、プリンタ部の上方に配置された画像読取部との間に、シートを排出する空間を設けた画像形成装置において、
前記画像読取部の左右の側端のうち少なくとも一方は、前記プリンタ部の同じ側の側端よりも装置内側に位置し、かつ、
前記画像読取部は、前記側端以外の部分で支持されていることを特徴とする画像形成装置。
【発明の詳細な説明】
【０００１】
【発明の属する技術分野】
本発明は、プリンタ部とその上方に設けられた画像読取部若しくは載置台との間の空間にシートを排出する構成の画像形成装置に関する。
【０００２】
【従来の技術】
従来より、この種の画像形成装置としては、複写機能、ファクシミリ機能、プリンタ機能、スキャナ機能などを一台に集約したＭＦＰ（Ｍｕｌｔｉ  Ｆｕｎｃｔｉｏｎ  Ｐｅｒｉｐｈｅｒａｌｓ；多機能複合機）が知られている。
【０００３】
図５および図６に従来のＭＦＰの構成を示す。図５は、ＭＦＰを装置右斜め前からみた斜視図であり、図６は、ＭＦＰを右側からみた断面図である。同図において、矢印Ａ方向が装置手前側を示している。
【０００４】
従来、この種のＭＦＰは以下のように構成されていた。
【０００５】
ＭＦＰ本体１０は、プリンタ部４とその上方に設けられた画像読取部１とを有して構成され、プリンタ部４と画像読取部１の間にはシートを排出するための機内排紙空間Ｈｆが設けられている。また、画像読取部１の装置手前側にはＭＦＰを操作するための操作部５が設けられている。
【０００６】
プリンタ部４は、概略、シートＰに画像を形成する画像形成部１１、シートＰを収容・給紙するカセット給紙部１２、画像形成済みのシートＰを機内排紙空間Ｈｆに排紙する排紙部１５を有している。また、プリンタ部４の上面には排紙トレイ１６が設けられている。
【０００７】
画像形成時には、カセット給紙部１２の装置手前側から給紙されたシートＰは、装置手前にあるＵ字状の反転経路を経て、装置手前側から奥側に向かって搬送される。このとき、画像形成部１１においてシートＰにトナー像が形成される。画像形成済みのシートＰは、装置奥側にある排紙部１５から装置手前側に向かって機内排紙空間Ｈｆに排出される。排出されたシートＰは、排紙トレイ１６上に積載される。
【０００８】
【発明が解決しようとする課題】
排紙トレイ１６に排紙、積載されたシートＰは、機内排紙空間Ｈｆの開放側である装置手前から取り出すことになる。
【０００９】
しかしながら、上記構成にあっては、機内排紙空間Ｈｆの上方にある画像読取部１および操作部５が邪魔となり、装置の斜め上方からでは排紙トレイ１６上のシートＰを視認しづらい。それゆえ、操作者は、装置の前でかがんだ姿勢をとり、機内排紙空間Ｈｆを覗き込みながら、機内排紙空間Ｈｆ内に手を差し入れるという動作を行わねばならず、シートＰの視認性および取り出し性は必ずしも良いとはいえなかった。
【００１０】
また、排紙トレイ１６上のシートＰは装置奥側を基準として積載されることから、長さの短い小サイズのシートほど機内排紙空間Ｈｆの奥のほうに位置し、視認性と取り出し性が悪くなっていた。
【００１１】
このような課題を解決すべく、プリンタ部４と画像読取部１の間隔を広げて、機内排紙空間Ｈｆを拡大する構成も考えられる。しかし、この場合には、装置の高さが高くなり、画像読取部の操作性の低下や、装置の大型化による設置スペースの拡大およびコストアップを招いてしまい、好ましくない。
【００１２】
また、こうした課題は、プリンタ部４の上方に画像読取部１を設ける構成の場合に限らず、プリンタ部４の上方にスキャナやキーボード、あるいは、シート、トナー、カートリッジ、インク等の消耗品を載置するための載置台（ラック）を設ける構成の場合にも同様に生じる。つまり、載置台が障害となり、シートＰの取り出し性や視認性の低下を招いてしまうのである。
【００１３】
本発明は上記実情に鑑みてなされたものであって、その目的とするところは、機内排紙されたシートの取り出し性および視認性を向上させた画像形成装置を提供することにある。
【００１４】
【課題を解決するための手段】
上記目的を達成するために本発明にあっては、画像形成を行うプリンタ部と、プリンタ部の上方に配置された画像読取部との間に、シートを排紙する空間を設けた画像形成装置において、前記画像読取部の左右の側端のうち少なくとも一方は、前記プリンタ部の同じ側の側端よりも装置内側に位置し、かつ、前記画像読取部は、前記側端以外の部分で支持されていることを特徴とする。
【００１５】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１６】
（第１の実施形態）
まず、図１〜３を参照して、本発明の第１の実施形態に係る画像形成装置について説明する。本実施形態では、ファクシミリ機能、プリンタ機能、スキャナ機能、および、ブックやシート原稿をコピーする複写機能を併せ持った多機能複合機（以下、ＭＦＰと呼ぶ。）を例に挙げる。
【００１７】
ここで、図１は、ＭＦＰを右斜め前からみた斜視図である。また、図２は、ＭＦＰを右側からみた断面図であり、図３は、ＭＦＰを上方からみた上視図である。図１〜３において、矢印Ａ方向が装置手前側を示している。
【００１８】
（全体概略説明）
ＭＦＰの装置本体１００は、概略、シートＰに画像を形成するプリンタ部１０４と、プリンタ部１０４の上方に配置された画像読取部１０１とを有して構成される。このＭＦＰは、プリンタ部１０４と画像読取部１０１の間に、シートＰを排出するための空間が設けられた、いわゆる機内排紙型の画像形成装置である。
【００１９】
画像読取部１０１はフラットベットスキャナである。固定読みモードでは、原稿台ガラス上に置かれた原稿を図示せぬ読取手段によりＣ方向に走査することで画像を読み取る。１０２は上下に開閉可能な圧板であり、原稿台ガラス上に置かれた原稿を押さえるものである。
【００２０】
また、画像読取部１０１には原稿搬送部１０３が設けられている。流し読みモードでは、原稿搬送部１０３が原稿載置トレイ１０３ａ上に載置された原稿Ｓを一枚ずつ分離し、矢印Ｆ方向に搬送する。そして、原稿読取部１０３ｃを通過する原稿Ｓの画像を読取手段によって読み取る。画像の読み取り後の原稿Ｓは、原稿排紙トレイ１０３ｂ上に排紙・積載される。
【００２１】
プリンタ部１０４は、レーザービームプリンタからなる記録装置である。
【００２２】
１１２は給紙手段としてのカセット給紙部であり、シートＰが収納されている。１１２ａはカセット給紙部１１２からシートＰを一枚分離して画像形成部１１１に搬送する給紙ローラである。１１３はマルチ給紙部であり、給紙ローラ及び分離片とで構成されたマルチ分離部１１３ａでシートＰを一枚分離して画像形成部１１１に搬送する。
【００２３】
画像形成部１１１は、シートに画像を形成する画像形成手段であって、プロセスカートリッジ１１１ａおよび転写ローラ１１１ｂから構成される。プロセスカートリッジ１１１ａは、感光ドラム１１１ｃ、帯電装置、現像装置、クリーニング装置およびトナー容器が一体構成されたものであり、画像形成装置本体に対して着脱自在となっている。画像形成部１１１は、感光ドラム１１１ｃと転写ローラ１１１ｂとの間でシートＰを搬送しつつ、トナー像をシートＰ上に転写する。１１０は露光手段としてのレーザースキャナである。
【００２４】
１１４は画像形成部１１１でシートＰ上に転写したトナーを加熱し定着させる定着部である。
【００２５】
１１５は、画像形成済みのシートＰをプリンタ部１０４と画像読取部１０１の間の機内排紙空間に排紙する排紙手段であって、シートＰの画像面を下にして排紙するフェイスダウン排紙部（ＦＤ排紙部）である。ＦＤ排紙部１１５は、装置手前側から奥側に向かって（矢印Ｇ方向）シートＰを排紙する。
【００２６】
１１６は、ＦＤ排紙部１１５によって排紙されたシートＰを画像面を下にして積載するフェイスダウン排紙トレイ（ＦＤ排紙トレイ）である。ＦＤ排紙トレイ１１６は、プリンタ部１０４の上面に設けられている。
【００２７】
ＦＤ排紙トレイ１１６は装置手前側から装置奥側に向かうにしたがって高くなるように傾斜する傾斜面を有している。また、ＦＤ排紙トレイ１１６の装置手前側の端縁からは略垂直に壁が起立している。よって、装置手前側に設けられたＦＤ排紙部１１５から排紙されたシートＰは、傾斜面に沿って装置手前側に滑り落ち、その後端（装置手前側の端）を壁に突き当てて整列することとなる。
【００２８】
図２に示すように、給紙ローラ１１２ａ、画像形成部１１１、定着部１１４およびＦＤ排紙部１１５は、いずれも装置手前側に設けられ、カセット給紙部１１２から画像形成部１１１を経由してＦＤ排紙部１１５に至るシート搬送路は装置前面に沿って略垂直方向に設けられている。すなわち、プリンタ部１０４は、シートＰを装置幅方向ではなく、装置前後方向（図２のＥ方向）に搬送する。
【００２９】
１０５は表示部・入力キー等により構成される操作部であり、装置前面に設けられている。これにより、使用者は装置前面から操作可能であり、良好な操作性を実現している。
【００３０】
１１９はプリンタ部１０４を制御、駆動するためのプリンタ制御部である。プリンタ制御部１１９は、プリンタ部１０４の機構部品を駆動するためのギヤ列などの駆動部と、電装部とで構成されている。
【００３１】
プリンタ制御部１１９は、画像形成部１１１の幅方向外側に設けられている。本実施形態では、画像形成部１１１を装置右側に、プリンタ制御部１１９を装置左側に設けている。さらに詳しくは、本実施形態の画像形成装置では、シートの取り出し側を装置右側に設定しており、画像形成部１１１をシート取り出し側に、そして、プリンタ制御部１１９をシート取り出し側とは反対の側に設けているのである。
【００３２】
（プリンタ部）
次にプリンタ部１０４の詳細な構成及び動作について説明する。
【００３３】
第１の給紙手段であるカセット給紙部１１２は、プリンタ部１０４の底部に配設されている。カセット給紙部１１２は、シート束を収納する給紙カセット１１２ｂと、給紙カセット１１２ｂからシートＰを分離給送する給紙ローラ１１２ａとを有している。給紙カセット１１２ｂは装置手前方向（Ａ方向）に引き出し可能に構成されている。これにより、装置手前でシートのセットやジャム処理を行うことができる。
【００３４】
また、第２の給紙手段であるマルチ給紙部１１３は、装置前面に配置されている。マルチ給紙部１１３へのシートのセットは、装置手前から行うことが可能に構成されている。マルチ給紙部１１３に積載されたシートは、マルチ分離部１１３ａにより分離、搬送された後、画像形成部１１１に送り込まれる。
【００３５】
カセット給紙部１１２またはマルチ給紙部１１３から画像形成部１１１に送り込まれたシートＰは、転写ローラ１１１ｂと感光ドラム１１１ｃとの間に搬送される。
【００３６】
プリンタ部１０４は、図示せぬプリンタ制御基板から出力される画像信号に基づいてレーザースキャナ１１０から画像光を射出し、この画像光を画像形成部１１１の感光ドラム１１１ｃに照射して、感光ドラム１１１ｃ表面に静電潜像を形成する。この静電潜像を現像装置によってトナー像に顕像化し、このトナー像を転写ローラ１１１ｂによってシートＰに転写する。
【００３７】
シートＰはトナー像を転写された後、装置前面に沿って上方に搬送され、定着部１１４に導かれる。定着部１１４は、熱と圧力によりトナー像をシートＰに定着させる。
【００３８】
定着後のシートＰはさらに上方に搬送され、ＦＤ排紙部１１５により機内排紙空間へと排紙され、ＦＤ排紙トレイ１１６に積載される。本実施形態では、装置の上部でかつ装置手前に設けられたＦＤ排紙部１１５から装置の奥側に向けて排紙される。
【００３９】
ここで、画像形成部１１１の前部には使用者が開閉可能なカートリッジカバー１１８が設けられている。本実施形態では、カセット給紙部１１２およびマルチ給紙部１１３から画像形成部１１１を経由してＦＤ排紙部１１５に至るシート搬送路が装置前面に沿って設けられていることから、カートリッジカバー１１８を開くことで、ほとんど全てのシート搬送路を開放することができる。よって、シート搬送路のどこかでシートのジャムが発生した場合は、カートリッジカバー１１８を開くことで、装置前面からジャムシートを容易に取り除くことができる。
【００４０】
また、画像形成部１１１が装置手前側に設けられており、そのプロセスカートリッジ１１１ａは装置手前側から着脱自在な構成となっている。よって、プロセスカートリッジ１１１ａの交換も装置前面から行うことができる。
【００４１】
このように、本実施形態のプリンタ部１０４は、良好なジャム処理性とメンテナンス性とを実現している。
【００４２】
（画像読取部と機内排紙空間）
図１に示すように、画像読取部１０１は、装置本体の左端に設けられた左支持部１０４ａと、装置本体の後端に設けられた後ろ支持部１０４ｂによって支持されている。すなわち、画像読取部１０１の前面および右側には支持部が設けられていない。
【００４３】
これにより、画像読取部１０１とプリンタ部１０４の間に設けられた機内排紙空間Ｈｌの装置手前側から装置右側にかけて開放状態とし、ＦＤ排紙トレイ１１６上に積載されたシートＰの取り出しを容易にしている。
【００４４】
また、本実施形態のＭＦＰでは、図３に示すように、画像読取部１０１の右端１０１ｗが、プリンタ部１０４の右端１０４ｗよりも装置内側に位置するように構成している。よって、プリンタ部１０４の上面の右端部、すなわち、ＦＤ排紙トレイ１１６の右端部が画像読取部１０１から露出する。これにより、装置右側からの機内排紙空間Ｈｌへのアクセスがしやすくなり、ＦＤ排紙トレイ１１６上に積載されたシートＰの取り出し性をさらに高めることができる。
【００４５】
さらに、本実施形態のＭＦＰでは、画像読取部１０１の右端１０１ｗが、機内排紙空間Ｈｌに排紙されるシートＰ（ＦＤ排紙トレイ１１６に積載されるシートＰ）の右端Ｐｗよりも装置内側に位置するように構成している。よって、シートＰの右端部が画像読取部１０１から露出する。したがって、装置上方からでもＦＤ排紙トレイ１１６上のシートＰを視認することが可能となる。
【００４６】
特に、本実施形態では、画像形成部１１１をシートＰの取り出し側である右側に設け、プリンタ制御部１１９をその反対側に設けることによって、シートＰの排出位置を極力右側に寄せ、シートＰの露出部分を多くしている。よって、シートＰの取り出し性と視認性を一層高めることができる。
【００４７】
また、上記構成によれば、装置右側に取り出し性および視認性に優れた機内排紙空間Ｈｌを設けたので、装置前面におけるプリンタ部１０４と画像読取部１（操作部１０５）の高さ方向の距離Ｈを小さくしても支障ない。よって、距離Ｈを小さくすることによって、画像読取部１０１の高さを低くでき、操作性の向上と、装置の省スペース化、コスト低減とを図ることができる。
【００４８】
また、本実施形態では、ＦＤ排紙トレイ１１６上のシートが装置手前側に整列して積載されるので、この点でもシートの視認性および取り出し性の向上が図られている。
【００４９】
なお、本実施形態では装置右側をシートの取り出し側としたが、装置左側を取り出し側にしてもよい。その場合は、画像読取部の左端をプリンタ部の左端よりも装置内側に位置させ、かつ、画像読取部の左端以外の部分（たとえば、右側や奥側など）を支持する構成にすればよい。また、このときも、画像読取部の左端が排紙されたシートの左端よりも装置内側に位置するようにすることが好ましい。ただし、シートの取り出しは右手で行われることが通常であるため、シートの取り出し側は装置右側に設けるほうが実用的であるといえる。
【００５０】
また、本実施形態では装置手前側から奥側に向かってシートを排出する構成としたが、装置奥側から手前側に向かって排出する構成としてもよい。この場合も同様に、装置右側または左側から取り出すレイアウトとすることでシートの取り出し性および視認性が向上する。
【００５１】
また、本実施形態では装置の右側からシートを取り出す構成としたが、左右両側からシートを取り出す構成としてもよい。具体的には、画像読取部の両側端がプリンタ部のそれぞれの側端よりも装置内側に位置し、かつ、画像読取部が両側端以外の部分（たとえば奥側のみ）で支持されていればよい。これにより、左右両側からシートを視認し、取り出すことが可能となる。
【００５２】
（第２の実施形態）
第１の実施形態では、プリンタ部１０４と画像読取部１０１と操作部１０５とが一体の構成であったが、本実施形態では、それらが別体で構成されている。そして、プリンタ部１０４の上方に載置台が配置され、その載置台の上に画像読取部１０１および操作部１０５が載置されている。この場合でも、載置台を第１の実施形態のようにレイアウトすることによって、同様な効果を得ることができる。
【００５３】
なお、ここでは本実施形態に特有の構成部分を中心に説明を行い、第１の実施形態と同一の構成部分については同一の符号を付して、その説明を省略する。
【００５４】
図４に本実施形態に係る画像形成装置を示す。図４は、ＭＦＰを右斜め前からみた斜視図である。
【００５５】
同図において、装置本体１００には、ラック棚１２０とキャスタ台１２１とが設置されている。
【００５６】
ラック棚１２０は、装置本体の左側に配置される左支持部１２０ａ、装置本体の後ろ側に配置される後ろ支持部１２０ｂ、および、これら２つの支持部によって支持される載置台１２０ｃから構成される。載置台１２０ｃはプリンタ部１０４の上方に配置され、載置台１２０ｃとプリンタ部１０４の間には機内排紙空間Ｈｌが形成される。載置台１２０ｃの上には、プリンタ部１０４と別体で構成された画像読取部１０１や操作部１０５が載置されている。
【００５７】
また、キャスタ台１２１は、台１２１ａと、台１２１ａの四隅に設けられた４個のキャスタ１２１ｂとで構成されている。キャスタ台１２１の上にはプリンタ部１０４が置かれている。これによって、プリンタ部１０４はキャスタ台１２１とともに装置手前方向（矢印Ａ方向）に引き出し可能となる。
【００５８】
ＦＤ排紙部でジャムが発生した場合や、ＦＤ排紙トレイ１１６の部分でジャムが発生した際には、ラック棚１２０および画像読取部１０１を残したままプリンタ部１０４を装置手前側に引き出すことができる。よって、画像読取部１０１や操作部１０５が邪魔しないため、装置上方からジャム部にアクセスすることが可能となり、ジャム処理性が向上する。
【００５９】
本実施形態のＭＦＰでは、載置台１２０ｃの支持部を装置左側と装置後ろ側に設けたので、載置台１２０ｃとプリンタ部１０４の間に設けられた機内排紙空間Ｈｌの装置手前側から装置右側にかけて開放状態とし、ＦＤ排紙トレイ１１６上に積載されたシートＰの取り出しを容易にしている。
【００６０】
また、載置台１２０ｃの右端１２０ｗが、プリンタ部１０４の右端１０４ｗよりも装置内側に位置するように構成している。よって、プリンタ部１０４の上面の右端部、すなわち、ＦＤ排紙トレイ１１６の右端部が載置台１２０ｃから露出する。これにより、装置右側からの機内排紙空間Ｈｌへのアクセスがしやすくなり、ＦＤ排紙トレイ１１６上に積載されたシートＰの取り出し性をさらに高めることができる。
【００６１】
さらに、本実施形態のＭＦＰでは、載置台１２０ｃの右端が、機内排紙空間Ｈｌに排紙されるシートＰ（ＦＤ排紙トレイ１１６に積載されるシートＰ）の右端Ｐｗよりも装置内側に位置するように構成している。よって、シートＰの右端部が載置台１２０ｃから露出する。したがって、装置上方からでもＦＤ排紙トレイ１１６上のシートＰを視認することが可能となる。
【００６２】
また、本実施形態のＭＦＰでは、操作部１０５とは別に第２の操作部であるキーボード１２２を設けている。キーボード１２２は、Ｅメール送信のアドレスの入力の際や、ファクシミリの宛先登録の際などに使用するキーが配列されているものである。
【００６３】
キーボード１２２は、操作部載置台であるキーボード台１２３の上に載置されている。キーボード台１２３は、ガイド部材を介して載置台１２０ｃに取り付けられており、キーボード１２２を載置したまま載置台１２０ｃに対してスライド自在に構成されている。
【００６４】
図４は、装置手前側にキーボード１２２が引き出された状態を示す（以下、この状態の位置を「操作位置」と呼ぶ。）。この操作位置で使用者はキーボード１２２を操作可能である。一方、キーボード１２２およびキーボード台１２３を装置奥側にスライドさせると、装置内側（載置台１２０ｃの下側）にキーボード１２２が収納された状態となる（以下、この状態の位置を「収納位置」と呼ぶ。）。収納位置では、キーボード１２２が装置本体から出っ張らない構成となっている。
【００６５】
以上の構成によって、キーボード１２２を操作する場合は、操作位置までキーボード１２２を引き出すことでキーボード１２２の良好な操作性を実現することができる。また、キーボード１２２を操作しない場合は、キーボード１２２を収納位置まで移動させることで、キーボード１２２がシートＰの視認性を妨げたり、シートＰの取り出しを阻害することを防ぐことができる。
【００６６】
キーボード１２２は、Ｅメール送信宛先やファクシミリ宛先などの登録用であり、登録作業を行う場合は装置前面に配置する必要がある。しかしながら、登録作業を行う頻度は少なく、キーボード１２２は普段使用するものではないため、本実施形態のごとく装置内部に収納させるようにしても特に支障はない。
【００６７】
なお、本実施形態では、プリンタ部１０４の上方に配置した載置台１２０ｃ上に画像読取部１０１や操作部１０５を載置する構成としたが、載置台の用途はこれに限られない。たとえば、載置台に、プリンタ部１０４で使用する補充用のシート、トナー、カートリッジなどの消耗品や、プリンタ部１０４を制御するコンピュータなどを載置する構成も考えられる。この場合であっても、載置台を本実施形態のごとく構成することで、シートＰの視認性と取り出し性の向上を図ることができる。
【００６８】
以上、本発明の好適な実施形態について例示的に説明したが、本発明はこれらに限定されるものではなく、以下の実施態様を含むものである。
【００６９】
（実施態様１）
画像形成を行うプリンタ部と、プリンタ部の上方に配置された画像読取部との間に、シートを排紙する空間を設けた画像形成装置において、
前記画像読取部の左右の側端のうち少なくとも一方は、前記プリンタ部の同じ側の側端よりも装置内側に位置し、かつ、
前記画像読取部は、前記側端以外の部分で支持されていることを特徴とする画像形成装置。
【００７０】
（実施態様２）
前記プリンタ部は、シートを給紙する給紙手段、シートに画像を形成する画像形成手段、および、シートを前記空間に排紙する排紙手段を有することを特徴とする実施態様１記載の画像形成装置。
【００７１】
（実施態様３）
前記排紙手段は装置手前側に設けられ、前記給紙手段から前記画像形成手段を経由して前記排紙手段に至るシート搬送路が装置前面に沿って設けられていることを特徴とする実施態様２記載の画像形成装置。
【００７２】
（実施態様４）
前記シート搬送路が沿う装置前面を開放可能に構成したことを特徴とする実施態様３記載の画像形成装置。
【００７３】
（実施態様５）
前記画像読取部の前記側端は、前記空間に排紙されるシートの同じ側の側端よりも装置内側に位置することを特徴とする実施態様１〜４のうちいずれか記載の画像形成装置。
【００７４】
（実施態様６）
前記プリンタ部と前記画像読取部とを別体で構成するとともに、前記画像読取部を残したまま前記プリンタ部を装置手前側に引き出し可能に設けたことを特徴とする実施態様１〜５のうちいずれか記載の画像形成装置。
【００７５】
（実施態様７）
前記画像読取部は、前記側端の反対側および装置後ろ側で支持されていることを特徴とする実施態様１〜５のうちいずれか記載の画像形成装置。
【００７６】
（実施態様８）
前記プリンタ部の上面は排紙トレイであって、前記排紙トレイは装置手前側から装置奥側に向かうにしたがって高くなるように傾斜する傾斜面を有していることを特徴とする実施態様３〜７のうちいずれか記載の画像形成装置。
【００７７】
（実施態様９）
前記プリンタ部の前記側端寄りに、シートに画像を形成する画像形成手段が配置されていることを特徴とする実施態様１〜８のうちいずれか記載の画像形成装置。
【００７８】
（実施態様１０）
画像形成を行うプリンタ部と、プリンタ部の上方に配置された載置台との間に、シートを排紙する空間を設けた画像形成装置において、
前記載置台の左右の側端のうち少なくとも一方は、前記プリンタ部の同じ側の側端よりも装置内側に位置し、かつ、
前記載置台は、前記側端以外の部分で支持されていることを特徴とする画像形成装置。
【００７９】
（実施態様１１）
前記プリンタ部は、シートを給紙する給紙手段、シートに画像を形成する画像形成手段、および、シートを前記空間に排紙する排紙手段を有することを特徴とする実施態様１０記載の画像形成装置。
【００８０】
（実施態様１２）
前記排紙手段は装置手前側に設けられ、前記給紙手段から前記画像形成手段を経由して前記排紙手段に至るシート搬送路が装置前面に沿って設けられていることを特徴とする実施態様１１記載の画像形成装置。
【００８１】
（実施態様１３）
前記シート搬送路が沿う装置前面を開放可能に構成したことを特徴とする実施態様１２記載の画像形成装置。
【００８２】
（実施態様１４）
前記載置台の前記側端は、前記空間に排紙されるシートの同じ側の側端よりも装置内側に位置することを特徴とする実施態様１０〜１３のうちいずれか記載の画像形成装置。
【００８３】
（実施態様１５）
前記載置台に画像読取部を載置し、前記載置台を残したまま前記プリンタ部を装置手前側に引き出し可能に設けたことを特徴とする実施態様１０〜１４のうちいずれか記載の画像形成装置。
【００８４】
（実施態様１６）
前記載置台は、前記側端の反対側および装置後ろ側で支持されていることを特徴とする実施態様１０〜１４のうちいずれか記載の画像形成装置。
【００８５】
（実施態様１７）
前記プリンタ部の上面は排紙トレイであって、前記排紙トレイは装置手前側から装置奥側に向かうにしたがって高くなるように傾斜する傾斜面を有していることを特徴とする実施態様１２〜１６のうちいずれか記載の画像形成装置。
【００８６】
（実施態様１８）
前記プリンタ部の前記側端寄りに、シートに画像を形成する画像形成手段が配置されていることを特徴とする実施態様１０〜１７のうちいずれか記載の画像形成装置。
【００８７】
【発明の効果】
以上説明したように、本発明によれば、機内排紙されたシートの取り出し性および視認性を向上することが可能となる。
【図面の簡単な説明】
【図１】本発明の第１の実施形態に係る画像形成装置を装置右斜め前からみた斜視図である。
【図２】図１の画像形成装置を右側からみた断面図である。
【図３】図１の画像形成装置を上方からみた上視図である。
【図４】本発明の第２の実施形態に係る画像形成装置を装置右斜め前からみた斜視図である。
【図５】従来の画像形成装置を装置右斜め前からみた斜視図である。
【図６】図５の画像形成装置を右側からみた断面図である。
【符号の説明】
１００  装置本体
１０１  画像読取部
１０１ｗ  画像読取部の右端
１０２  圧板
１０３  原稿搬送部
１０３ａ  原稿載置トレイ
１０３ｂ  原稿排紙トレイ
１０３ｃ  原稿読取部
１０４  プリンタ部
１０４ａ  左支持部
１０４ｂ  後ろ支持部
１０４ｗ  プリンタ部の右端
１０５  操作部
１１０  レーザースキャナ
１１１  画像形成部
１１１ａ  プロセスカートリッジ
１１１ｂ  転写ローラ
１１１ｃ  感光ドラム
１１２  カセット給紙部
１１２ａ  給紙ローラ
１１２ｂ  給紙カセット
１１３  マルチ給紙部
１１３ａ  マルチ分離部
１１４  定着部
１１５  ＦＤ排紙部
１１６  ＦＤ排紙トレイ
１１８  カートリッジカバー
１１９  プリンタ制御部
１２０  ラック棚
１２０ａ  左支持部
１２０ｂ  後ろ支持部
１２０ｃ  載置台
１２０ｗ  載置台の右端
１２１  キャスタ台
１２１ａ  台
１２１ｂ  キャスタ
１２２  キーボード
１２３  キーボード台
Ｈｌ  機内排紙空間
Ｐ  シート
Ｐｗ  シートの右端
Ｓ  原稿
【図１】
2004279691.tif 000003
【図２】
2004279691.tif 000004
【図３】
2004279691.tif 000005
【図４】
2004279691.tif 000006
【図５】
2004279691.tif 000007
【図６】
2004279691.tif 000008